(57)【要約】【課題】位牌とは、死者の祭祀のため、死者個人の戒名や法名を記した木牌である。これらの木牌は、通常永く仏壇に安置され、子々孫々、代々祀られるものである。しかしながら、このような位牌には死者の戒名や法名だけが記されているものであり、故人の生前の姿や声など、個人の情報を直接知ることはできない。そのため、故人の生前の情報は、故人の生前を知る人々が情報を個々に記憶する必要があった。しかしながら、記憶は、長い年月が経過することや、記憶をとどめている本人が亡くなることでその情報が劣化や消失してしまうという問題がある。【解決手段】そこで、この問題を解決するために、コード部材に故人の生前の情報を二次元コードとして出力し、それを格納するための格納部を備える位牌として用いられる仏具を提供する。【選択図】図１
2010166990.tif 000002
【特許請求の範囲】
【請求項１】
故人の生前の記録を二次元コードとして表示するためのコード部材と、
コード部材を格納する格納部と、
を有する位牌として用いられる仏具。
【請求項２】
コード部材は、紙状である請求項１に記載の仏具。
【請求項３】
格納部は、台座部と札部の境界部分に設けられる請求項１または２に記載の仏具。
【請求項４】
格納部は、台座部の底面に設けられる請求項１から３のいずれか一に記載の仏具。
【請求項５】
コード部材は不燃材料からなる請求項１から４のいずれか一に記載の仏具。
【請求項６】
コード部材に表示される二次元コードは、ＱＲコードである請求項１から５のいずれか一に記載の仏具。
【請求項７】
故人の生前の記録をするための二次元コード配置領域を台座部の底面に備えた位牌として用いられる仏具。
【請求項８】
故人の生前の記録をするための二次元コード配置領域を札部の裏面に備えた位牌として用いられる仏具。
【請求項９】
二次元コードが付されていることを示すマークを有する請求項１から８のいずれか一に記載の仏具。
【請求項１０】
コード部材は、格納部と離れ離れにならないように連結部材で連結されている請求項１から９のいずれか一に記載の仏具。
【発明の詳細な説明】
【技術分野】
【０００１】
本発明は、故人の生前の情報を２次元コードに記録し位牌に格納する技術に関する。
【背景技術】
【０００２】
位牌とは、死者の祭祀のため、死者個人の戒名や法名を記した木牌である。これらの木牌は、通常永く仏壇に安置され、子々孫々、代々祀られるものである。
【０００３】
しかしながら、このような位牌には死者の戒名や法名だけが記されているものであり、故人の生前の姿や声など、個人の情報を直接知ることはできない。そのため、故人の生前の情報は、故人の生前を知る人々が情報を個々に記憶する必要があった。しかしながら、記憶は、長い年月が経過することや、記憶をとどめている本人が亡くなることでその情報が劣化や消失してしまうという問題がある。そこで、問題を解決するために特許文献１に記載のような発明が提供されている。具体的には、故人の情報を電子データとして保存し、備えられているディスプレイに保存した情報を出力することが可能な位牌である。
【先行技術文献】
【特許文献】
【０００４】
【特許文献１】特開２００７−１０９００６号公報
【発明の概要】
【発明が解決しようとする課題】
【０００５】
しかしながら、特許文献１に記載の発明は、故人の生前の情報を電子データとして位牌に記憶させることから、外部から位牌に対して与えられる衝撃などが原因で電子データが損なわれる可能性があるという課題がある。また、これらの電子データのフォーマットは技術の進歩とともに仕様変更が行われることも多いため、記録された時点では再生可能であっても、将来的に仕様変更によって再生が不可能になる可能性があるという課題もある。
【課題を解決するための手段】
【０００６】
そこで、この問題を解決するために、コード部材に故人の生前の情報を二次元コードとして出力し、それを格納するための格納部を備える位牌として用いられる仏具を提供する。具体的には、次のような仏具である。
【０００７】
第１発明では、故人の生前の記録を二次元コードとして表示するためのコード部材と、コード部材を格納する格納部と、を有する位牌として用いられる仏具を提供する。
【０００８】
第２発明では、第１発明を基本としてコード部材は、紙状である仏具を提供する。
【０００９】
第３発明では、第１発明又は第２発明を基本として格納部は、台座部と札部の境界部分に設けられる仏具を提供する。
【００１０】
第４発明では、第１発明から第３発明のいずれか一を基本として、格納部は、台座部の底面に設けられる仏具を提供する。
【００１１】
第５発明では、第１発明から第４発明のいずれか一を基本として、コード部材は不燃材料からなる仏具を提供する。
【００１２】
第６発明では、第１発明から第５発明のいずれか一を基本として、コード部材に表示される二次元コードは、ＱＲコードである仏具を提供する。
【００１３】
第７発明では、故人の生前の記録をするための二次元コード配置領域を台座部の底面に備えた位牌として用いられる仏具を提供する。
【００１４】
第８発明では、故人の生前の記録をするための二次元コード配置領域を札部の裏面に備えた位牌として用いられる仏具を提供する
【００１５】
第９発明では、第１発明から第８発明のいずれか一を基本として、二次元コードが付されていることを示すマークを有する仏具を提供する。
【００１６】
第１０発明では、第１発明から第９発明のいずれか一を基本として、コード部材は、格納部と離れ離れにならないように連結部材で連結されている仏具を提供する。
【発明の効果】
【００１７】
本発明により、故人の生前の情報を劣化・消失させることなく保管することが可能となる。これにより、位牌とともに故人の情報を代々受け継いでいくことが可能となる。
【図面の簡単な説明】
【００１８】
【図１】実施形態１の位牌として用いられる仏具における概略図を示した図
【図２】実施形態１の位牌として用いられる仏具における使用方法の一例を示した図
【図３】実施形態１の位牌として用いられる仏具における格納部の一例を示した図
【図４】実施形態１の位牌として用いられる仏具における格納部の一例を示した図（境界部に配置した場合）
【図５】実施形態１の位牌として用いられる仏具における格納部の一例を示した図（台座部底面に配置した場合）
【図６】実施形態１の位牌として用いられる仏具におけるコード部材の一例を示した図
【図７】実施形態１の位牌として用いられる仏具におけるコード部材に表示する二次元コードの一例を示した図
【図８】実施形態２の位牌として用いられる仏具における概略図を示した図
【図９】実施形態２の位牌として用いられる仏具における二次元コード配置領域の一例を示した図（台座部底面に配置した場合）
【図１０】実施形態３の位牌として用いられる仏具の概略図（連結部材）
【発明を実施するための形態】
【００１９】
以下に、図を用いて本発明の実施の形態を説明する。なお、本発明はこれらの実施の形態に何ら限定されるものではなく、その要旨を逸脱しない範囲において、種々なる態様で実施しうる。
【００２０】
実施形態１は主に請求項１、２、３、４、５、６について説明する。実施形態２は主に請求項７、８、９について説明する。実施形態３は主に請求項１０について説明する。
【００２１】
≪実施形態１≫
<実施形態１  概要>
【００２２】
本実施形態の位牌として用いられる仏具は、図１（ａ）に示すように戒名等を記すための札部（０１０１）と、前記札部を支えるための台座部（０１０２）と、図１（ｂ）に示す二次元コードが表示されているコード部材（０１０４）を格納するための格納部（０１０３）とからなる仏具である。
【００２３】
本実施形態の仏具は、図２に示すように仏具の１面に設けられた格納部（０２０３）にコード部材（０２０４）を格納できることを特徴としている。
【００２４】
<実施形態１：構成>
【００２５】
≪仏具≫
【００２６】
「仏具」（０１０１）は、位牌として用いられる仏具である。具体的には、図１（ａ）に示すような戒名等を記すための札部（０１０１）と、札部を支えるための台座部（０１０２）と、からで構成される位牌である。本実施形態の仏具は、図２に示すように、その内部に後に詳述するコード部材（０２０４）を格納することが可能となっている。
【００２７】
本実施形態の仏具は、図１（ｂ）に示すようなコード部材（０１０４）を格納することを想定して、少なくともコード部材を格納するスペース（格納部）を内部に設けることができるように設計されている。
【００２８】
ここで、本実施形態の仏具は札部と台座部で構成されているが、実際にはそれに限らない。札部と台座部は境界を持たず札部と台座部が一体となる構成であってもよいし、台座を支える「脚部」を備える構成であってもよい。さらには、札部と台座部は別々に取り外しが可能な構成であってもよい。また、本実施形態の仏具は、位牌として用いられるのであればその種類に限らない。具体的には、塗り位牌、唐木位牌、繰り出し位牌など、である。
【００２９】
≪格納部≫
【００３０】
「格納部」（０１０３）は、コード部材を格納する機能を有する。具体的に本実施形態においては、図３に示す台座部に設けられた実線で囲まれた空間（０３０３）である。「格納部」は、後に詳述するコード部材を格納するだけのスペースを有していればよく、その大きさや形状は限定されない。さらに格納部は、格納部は図４に示すように台座部（０４０２）と札部（０４０１）の境界部分に設けられる構成（０４０３）であってもよいし、さらには図５に示すように台座部（０５０２）の底面（地面と接地する面）に設けられる構成（０５０３）であってもよい。
【００３１】
ここで、格納部は、格納部に格納されたコード部材が落下することを防ぐための手段を有する構成であってもよい。具体的には、格納部が引出となっている構成や、格納部に蓋や、扉（両開きの扉、片開きの扉、スライド扉など）を設ける構成などである。さらには、より厳重にするためにこれらの構成に鍵をかけて封をする鍵部を有する構成であってもよい。
【００３２】
また、本実施形態では格納部を台座部に設ける構成としたが、札部に格納部を設ける構成であってもよい。
【００３３】
≪コード部材≫
【００３４】
「コード部材」（０１０４）は、故人の生前の記録を二次元コードとして表示するための部材である。図６に示すように本実施形態のコード部材（０６０４）は、板状の形態をしており、その一面に故人の生前の記録を含むＱＲコードなどの二次元コードが表示されている。ここで、本実施形態のコード部材は、板状の形態をとる構成であるが、実際にはＱＲコードなどの二次元コードを表示することができ、それが格納部に格納できるのであれば、その形状に限定されない。例えば、紙状の部材など様々な形態が考えられる。また、本実施形態においてＱＲコードを記す構成としたが、二次元コードであればそれに限らない。例えば、ＳＰコードやマキシコード、ベリコードなどである。また、コード部材には、複数の二次元コードが表示される構成であってもよい。これにより、より多くの情報を納めることが可能となる。
【００３５】
本実施形態においてＱＲコードなどの二次元コードとは、あらかじめ文字や映像、音声などとして記録されている故人の情報をＱＲコードなどの二次元コードとして変換したものである。例えば、図７に示すような二次元コード（ＱＲコード）である。本図は、図７（ａ）は、記録する情報を示しており、図７（ｂ）は、図７（ａ）に記載の文章を実際にＱＲコードとして変換したものである。このようにして、故人の情報を二次元コードに変換するという具合である。ここで、このＱＲコードなどの二次元コードには、故人の生前の情報のほかに、記録されている情報を再生するためのアプリケーションやツールなどの情報も含まれている構成であることが好ましい。
【００３６】
また、本実施形態のコード部材は、難燃性素材を用いている。しかしながら実際には、二次元コードを表示できることができる材質であれば特に問わない。例えば、金属、プラスチック等の合成樹脂、シリコンゴム等の弾性ゴムのうち硬度の高いもの、セラミックス等さらには木材、紙、又はそれらの組み合わせであってもよい。
【００３７】
ここで、本実施例ではコード部材を１枚若しくは１個である形態を採用したが、記録された情報の量に応じてコード部材が複数で構成されていてもよい。このようにすることで、より多くの情報を仏具に収めることが可能となる。また、この場合コード部材は、紙状であることが好ましい。これにより、より多くのコード部材を一つにまとめることが容易となる。
【００３８】
<実施形態１：効果>
【００３９】
本実施形態の仏具によって、故人の生前の情報を含む二次元コードが記された部材を格納することが可能となる。これにより、故人の生前の情報を失うことなく代々受け継いでいくことができる。
【００４０】
≪実施形態２≫
【００４１】
<実施形態２：概要>
【００４２】
本実施形態の仏具は、図８に示すように故人の生前の記録をするための二次元コードを配置するための領域（０８０６）を備え、さらに、それが付されていることを示すマーク（０８０５）を有することを特徴としている。
【００４３】
<実施形態２：構成>
【００４４】
≪二次元コード配置領域≫
【００４５】
「二次元コード配置領域」（０８０６）は、故人の生前の記録をするための二次元コードを配置する領域である。本実施形態の仏具は図８に示すように、その二次元コード配置領域を札部の裏面に備えている。
【００４６】
ここで、本実施形態では、二次元コード配置領域を仏具の札部の裏面に有する構成としたが、図９に示すように、二次元コード配置領域（０９０６）を台座部の底面に有する構成であってもよい。また、二次元コードは、仏具自身に刻印される構成であってもよいし、印字する構成や、二次元コードが表示されたプレートや紙などをはめ込んだり貼り付けたりする構成であってもよい。さらには、二次元コード配置領域には、複数の二次元コードを配置する構成であってもよい。
【００４７】
≪マーク≫
【００４８】
「マーク」（０８０５）は、二次元コードが付されていることを示したマークである。本実施形態では、図８に示すように仏具の札部の裏面に備えられており、二次元コードが付されている場所を示している。ここで、本実施形態の「マーク」（０８０５）は、図８に示すような形状をしているが、使用者に対して誤解なく場所を示唆できるのであればそれに限らない。また、「マーク」（０８０５）が配置される場所についても使用者に対して誤解なくマークによって二次元コードが配置（格納）されている場所を示唆できるのであればその場所は限らない。
【００４９】
<実施形態２：効果>
【００５０】
本実施形態の仏具によって、故人の生前の記録を含む二次元コードを仏具自体に備えることが可能となる。これにより、仏具と二次元コードが表示されたコード部材が別々になることを防ぐことが可能となる。
【００５１】
≪実施形態３≫
【００５２】
<実施形態３：概要>
【００５３】
本実施形態の仏具は、故人の生前の記録をするための二次元コードが表示されたコード部材と仏具とが離れ離れにならないようにするための連結部材を有することを特徴としている。
【００５４】
<実施形態３：構成>
【００５５】
≪連結部材≫
【００５６】
「連結部材」は、コード部材と格納部と離れ離れにならないようにする機能を有する。具体的には、図１０に示すような格納部とコード部材を連結する連結部材である。本図に記載の連結部材（１００７）は、ワイヤ状の形状をしており、その一端は札部の裏面（１００３）の一部に接続されており、もう一方はコード部材（１００４）と接続されている。このような形態によって、コード部材と格納部が離れ離れにならないようにしている。ここで、本実施形態の連結部材は、ワイヤ状の形状をした形態をとる構成としたが、実際にはコード部材と格納部が離れ離れにならないのであれば形態は限らない。
【００５７】
本例におけるコード部材と連結部材を接続する方法は、図９に示すようにコード部材に設けられた穴にリング状の部材を通し、そのリング状の部材とコード部材と接続することとしたが、実際にはコード部材と連結部材が接続することが可能であるならそれに限らない。例えば、コード部材を挟みこみ、纏めるための「クリップ部」を有する構成であってもよい。これにより、コード部材が複数ある構成であっても、それを容易に取りまとめることができる。さらには、連結部材に「ケース部」を有する構成であってもよい。これにより、ケース部にコード部材を収納することで、収納されたコード部材を外気にさらすことを防ぎ、また離れ離れになることを防ぐことができる。
【００５８】
また、本例では、仏具に連結部材と接続するための「金具部」を設けることが好ましい。これにより、連結部材の片端に仏具の金具部と接続するための「接続金具」を設けることで、仏具とから取り外すことが可能となる。また、この場合、連結部材に設けられた接続金具を可動式にすることが好ましい。これにより必要に応じて仏具からコード部材を取り外すことが可能となり、仏具を安置しつつコード部材に記録された内容を再生することが可能となる。
【００５９】
<実施形態３：効果>
【００６０】
本実施形態の仏具によって、故人の生前の記録を含む二次元コードが表示されたコード部材と仏具本体とが離れ離れになることを防ぐことができる。これにより、コード部材の紛失や、他の仏具に収められているコード部材が混同することを防ぐことができる。
【図１】
2010166990.tif 000003
【図２】
2010166990.tif 000004
【図３】
2010166990.tif 000005
【図４】
2010166990.tif 000006
【図５】
2010166990.tif 000007
【図６】
2010166990.tif 000008
【図７】
2010166990.tif 000009
【図８】
2010166990.tif 000010
【図９】
2010166990.tif 000011
【図１０】
2010166990.tif 000012